(57)【要約】【課題】  従来の足温スリッパは、足先を温める加熱源として電気ヒーターや科学的反応剤による発熱等を利用するものが殆どで、これら加熱源を足温スリッパの内部や裏面に収納して構成するものであったので、資源を消費することになり経済的には不利であった。【解決手段】  この足温スリッパおよび該足温スリッパを用いた足温方法は、足温スリッパ１は、台板１ａを平板でハート型に形成し、台板１ａの先端部には先端カバー１ｂを設け、さらに先端カバー１ｂの近傍に長方形の収納切口２を設け、この収納切口２には収納筒３を裏面に突出して固着して構成し、この足温スリッパ１をパソコンに付属する電源アダプター７に上から被せて一体化し、足温スリッパ１内で足先を暖めるようにする、足温スリッパと該足温スリッパを用いた足温方法である。【選択図】図５
2012183280.tif 000002
【特許請求の範囲】
【請求項１】
台板と、この台板の先端部に設けられた先端カバーと、前記台板に設けられた収納切口と、この収納切口に固着され前記台板の裏面に突出する収納筒とを備えたことを特徴とする足温スリッパ。
【請求項２】
前記台板は、平板をハート型に形成し、この台板の先端部に設けられた先端カバーは開口部を３の字状に形成し、この先端カバーの近傍に設けられた前記収納切口は長方形に形成し、この収納切口に固着された前記収納筒は、電源アダブターを収納可能にするよう構成されることを、特徴とする請求項１記載の足温スリッパ。
【請求項３】
パソコンに付属する電源アダプターと、この電源アダプターの電源受端子と電源プラグとの間に、温度ヒューズを有するヒューズホルダーを増設し、前記電源アダプターの上部に、この発明の足温スリッパを被せ、この収納筒内に前記電源アダプターを収納して、使用するようにしたことを特徴とする足温スリッパを用いた足温方法。
【発明の詳細な説明】
【技術分野】
【０００１】  この発明は、パソコン（図示せず）の使用時に足先を暖める足温スリッパおよび該足温スリッパを用いた足温方法に関するものである。
【背景技術】
【０００２】  従来の足温スリッパは足先を暖める加熱源として、電気ヒーターあるいは科学的反応剤による発熱等を利用するものが殆どで、これら加熱源を足温スリッパの内部や裏面に収納して構成するものであった。
【先行技術文献】
【特許文献】
【０００３】
【特許文献１】  実用新案公開平６−５０６１８号公報
【特許文献２】  特開２００１−２９９８００号公報
【特許文献３】  特開２００２−２０４７０３号公報
【発明の概要】
【発明が解決しようとする課題】
【０００４】  従来の足温スリッパは、電気あるいは化学反応剤のような地球上の資源を消費して、加熱源とするものであったので経済的には不利であった。【０００５】  この発明は、上記のような問題点を解決するためになされたもので、パソコン（ノート型、デスクトップ型）一台に必らず付属する、電源アダプターの損失熱を加熱源として利用し、資源を消費しない足温スリッパとその使用方法を得ることを目的とする。
【課題を解決するための手段】
【０００６】  この発明の足温スリッパは、台板と、この台板の先端部に設けられた先端カバーと、前記台板に設けられた収納切口と、この収納切口に固着され前記台板の裏面に突出する収納筒とを備えるよう構成するものである。【０００７】  前記台板は、平板をハート型に形成し、この台板の先端部に設けられた先端カバーは開口部を３の字状に形成し、この先端カバーの近傍に設けられた前記収納切口は長方形に形成し、この収納切口に固着された前記収納筒は、電源アダプターを収納可能にするよう構成するものである。【０００８】  この発明の足温スリッパを用いた足温方法は、パソコンに付属する電源アダプターと、この電源アダプターの電源受端子と電源プラグとの間に、温度ヒューズを有するヒューズホルダーを増設し、前記電源アダプターの上部に、この発明の足温スリッパを被せ、この収納筒内に前記電源アダプターを収納して、使用するようにする足温スリッパを用いた足温方法である。
【発明の効果】
【０００９】  この発明の足温スリッパと該足温スリッパを用いた足温方法は、パソコンに付属する電源アダプターの損失熱を、熱源として足先を暖めるようにしたので、消費される資源がないので非常に経済的である。また、この足温スリッパはパソコン使用者各人が、専用で足元に置いて使用できるし、熱源の電源アダプターは主要メーカーで略同形、同寸法なので共用して使用することができる。それに、電源アダプターが電気回路不良等で加熱しても、直結する温度ヒューズが溶断するので、絶対に焼損事故が起こることがない。
【図面の簡単な説明】
【００１０】
【図１】この発明の足温スリッパを示す斜視図である。
【図２】この発明の足温スリッパを裏面から見た斜視図である。
【図３】この発明の足温スリッパと共に使用する、電源アダプターおよびヒューズホルダーの斜視図である。
【図４】この発明の足温スリッパを用いた足温方法を示す説明図である。
【図５】この発明の図１に示す足温スリッパのＡーＡ断面図である。
【発明を実施するための形態】
【実施例１】
【００１１】  図１は、この発明の足温スリッパを示す斜視図である。図２は、この発明の足温スリッパを裏面から見た斜視図である。【００１２】  この発明の足温スリッパ１は、台板１ａと、この台板１ａには先端部に設けられた先端カバー１ｂと、さらに設けられた収納切口２と、この収納切口２に固着された収納筒３と、この収納筒３の両側に設けるリード保護管１３とからなり、台板１ａは平板でハート型に形成し、この台板１ａの先端部にはカバー開口部１ｃが３の字状に形成された先端カバー１ｂを設け、さらにこの台板１ａのカバー開口部１ｃの近傍に長方形の収納切口２を設け、この収納切口２には台板１ａの裏面に突出して、リード切欠き４の一対を有する収納筒３を固着し、電源アダプター７を収納可能にし、台板１ａの裏面の他端には補強足５を設け、収納切口２の両側には縦割りにしたリード保護管１３の一対を設けて構成する。ただし、収納筒３や補強足５は省略することもできる。【００１３】  また、電源アダプター７の表面温度が高くなるのを抑制するため、この表面にアルミ板等の放熱板を貼り付けて温度を下げる構造とし、その上に足先を乗せて使用できるようにすることもできる。【００１４】  足温スリッパ１の台板１ａや収納筒３に使用する材料は、電源アダプター７の表面温度が４０℃程度であるので、紙や布等でも問題は発生しないが、不燃材を使用すれば更に安全である。また、要所にモップ等の保温材を併用したり、図３に示す保温ボックス１５を設ければ、更に効果を上げることができる。【００１５】  次に、上記のように構成された足温スリッパを用いた足温方法について、図３〜５に基づき説明する。図３は、この発明の足温スリッパと共に使用する、電源アダプターおよびヒューズホルダーの斜視図である。図４は、この発明の足温スリッパを用いた足温方法を示す説明図である。図５は、この発明の図１に示す足温スリッパのＡーＡ断面図である。【００１６】  この発明の足温スリッパを用いた足温方法は、パソコンに付属する電源アダプター７の電源受端子１０と電源プラグ８との間に、温度ヒューズ６を有するヒューズホルダー９を増設接続し、図４に示すように電源アダプター７の上部へ、この発明の足温スリッパ１を被せ、この収納筒３内に電源アダプター７を収納し、図５に示すように組み立てて使用するようにする足温方法である。【００１７】  この発明の足温方法で使用するヒューズホルダー９は、一方の極を一端に差込端子１１と他端に受端子１２を設け、この差込端子１１と受端子１２との間に、温度ヒューズ６を接続し、他方の極は直接接続して形成されるものである。【００１８】  具体的な使用方法は、パソコンに付属する電源アダプター７を、パソコンを使用する各人が足元の床に置き、足温スリッパ１を上から被せて図５のように組み立て、足先を直接電源アダプター７の表面に当てて使用するようにする。【００１９】  温度ヒューズ６は、電源アダプター７の電気回路の不良等で加熱した時に溶断させるものであるが、絶対に火災事故等起きないような温度設定とする。【００２０】  電源アダプター７は加熱源であり、将来もパソコンの本体と合体することはできず、分離した構成は変えられることがないので、この足温スリッ���１が使用不能になることは考えられない。【００２１】  この足温方法は、電源アダプター７の表面に直接足先を当てて使用するので、この表面から冷えた足が熱を奪い取り、電源アダプター７の表面温度は下がることになるので、この足温方法は安全な方法であると考えられる。平日に毎日６時間程度連続使用し、冬期に二年間実験を実施したが問題は起こらなかった。
【符号の説明】
【００２２】  １    足温スリッパ            １ａ  台板            １ｂ  先端カバー
１ｃ  カバー開放部            ２    収納切口        ３    収納筒
４    リード切欠き            ５    補強足          ６    温度ヒューズ
７    電源アダプター          ８    電源プラグ      ９    ヒューズホルダー
１０  電源受端子              １１  差込端子        １２  受端子
１３  リード保護管            １４  直流リード      １５  保温ボックス
【図１】
2012183280.tif 000003
【図２】
2012183280.tif 000004
【図３】
2012183280.tif 000005
【図４】
2012183280.tif 000006
【図５】
2012183280.tif 000007